Podtech/llm-jp-corpus-v4-ja_patent huggingface dataset:
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
以下の（ａ）〜（ｉ）：
（ａ）配列番号１のヌクレオチド配列を含むｃＤＮＡ；
（ｂ）配列番号２のアミノ酸配列をコードするＤＮＡ；
（ｃ）配列番号６のヌクレオチド配列を含むＤＮＡ；
（ｄ）（ｉ）配列番号２のアミノ酸配列を含むタンパク質と機能的に等価であり、かつ（ｉｉ）配列番号２のアミノ酸配列を含み、１つまたは複数のアミノ酸が置換、欠失、付加および／または挿入されているタンパク質をコードするＤＮＡ； 
（ｅ）（ｉ）配列番号２のアミノ酸配列を含むタンパク質と機能的に等価なタンパク質をコードし、かつ（ｉｉ）配列番号１および６のヌクレオチド配列を含むＤＮＡとストリンジェントな条件下でハイブリダイズするＤＮＡ；
（ｆ）配列番号１および６のＤＮＡの転写産物に相補的なアンチセンスＲＮＡをコードする、ＤＮＡ；
（ｇ）配列番号１および６のＤＮＡの転写産物を特異的に切断するリボザイム活性を備えたＲＮＡをコードする、ＤＮＡ；
（ｈ）植物細胞内で発現すると共抑制作用によって配列番号１および６のＤＮＡの発現をダウンレギュレートするＲＮＡをコードする、ＤＮＡ；ならびに
（ｉ）（ａ）〜（ｅ）に記載のＤＮＡがコードする植物細胞内の内因性転写産物にドミナントネガティブな特徴を備えたＲＮＡをコードするＤＮＡ；または（ａ）〜（ｅ）に記載のＤＮＡがコードする植物細胞内の内因性タンパク質にドミナントネガティブな特徴を備えたタンパク質をコードするＤＮＡ；
のいずれか１つである単離されたＤＮＡ。
【請求項２】
以下の（ａ）〜（ｅ）：
（ａ）配列番号１のヌクレオチド配列を含むｃＤＮＡ；
（ｂ）配列番号２のアミノ酸配列をコードするＤＮＡ；
（ｃ）配列番号６のヌクレオチド配列を含むＤＮＡ；
（ｄ）（ｉ）配列番号２のアミノ酸配列を含むタンパク質と機能的に等価であり、かつ（ｉｉ）配列番号２のアミノ酸配列を含み、１つまたは複数のアミノ酸が置換、欠失、付加および／または挿入されているタンパク質をコードするＤＮＡ； 
（ｅ）（ｉ）配列番号２のアミノ酸配列を含むタンパク質と機能的に等価なタンパク質をコードし、かつ（ｉｉ）配列番号１および６のヌクレオチド配列を含むＤＮＡとストリンジェントな条件下でハイブリダイズするＤＮＡ；
からなる群から選択される、請求項１に記載の単離されたＤＮＡ。
【請求項３】
ベクター中に提供されている、請求項１に記載の単離されたＤＮＡ。
【請求項４】
前記ベクターが、以下の（ａ）〜（ｃ）のいずれか１つのＤＮＡであって、葯特異的プロモーター活性を備えた、ＤＮＡ：
（ａ）配列番号５のヌクレオチド配列を含むＤＮＡ；
（ｂ）配列番号５のヌクレオチド配列を含み、１つまたは複数のヌクレオチドが置換、欠失、付加および／または挿入されているＤＮＡ；ならびに
（ｃ）配列番号５のヌクレオチド配列を含むＤＮＡとストリンジェントな条件下でハイブリダイズするＤＮＡ；
をさらに含む、請求項３に記載の単離されたＤＮＡ。
【請求項５】
請求項１に記載のＤＮＡあるいは請求項３または４に記載のベクターで形質転換された形質転換植物細胞。
【請求項６】
請求項５に記載の形質転換植物細胞を含む、形質転換植物体。
【請求項７】
請求項６に記載の形質転換植物体の種子、組織および器官。
【手続補正書】
【提出日】平成31年4月13日(2019.4.13)
【手続補正１】
【補正対象書類名】明細書
【補正対象項目名】０００４
【補正方法】変更
【補正の内容】
【０００４】
しかしながら、先に記載された手動またはスチームによる空気混入を必要とせずに包装されて保存容器から分注されることが可能な、正しく作られた肌理の細かい泡を含むミルクの効果を再現することが可能な肌理の細かい泡を含むミルク飲料を生成する適切な方法は、現時点で存在しない。缶入りラテまたはカプチーノ飲料を含むと称する多くの製品が市販されているものの、これらの製品は、ミルクの肌理の細かい泡のテクスチャがほとんどまたは全くない、あるいは非常にわずかな堅く乾燥した泡が上に浮いているだけのものを含む、多数の欠点のいずれかに悩まされていることが多い。たとえば、乾燥した堅い泡を生成するだけの技術の１つは、国際公開第１９９６／３３６１８号に開示されており、包装に先立って大型の圧力チャンバ内で、通常は酸化窒素（ＮＯｘ）などのガスでミルクを過飽和させ、その後膨張している液体を缶または瓶の中に迅速に捕捉することを、伴う。この手法の結果は、先に記載された専門家レベルの空気混入テクスチャよりもはるかに劣っている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  欧州特許出願公開第２７６９６２３号明細書
（特許文献２）  米国特許第２，９７７，２３１号明細書
（特許文献３）  国際公開第９８／３６６７１号
（特許文献４）  欧州特許出願公開第１０５５６１４号明細書
（特許文献５）  米国特許出願公開第２０１４／２３９５２１号明細書
（特許文献６）  米国特許出願公開第２０１４／１１００１８号明細書
（特許文献７）  欧州特許出願公開第１０９４０２７号明細書
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
ワイヤレス電力を提供するための装置であって、
少なくとも1つのループを有する、第1のコイルであって、前記少なくとも1つのループが、前記少なくとも1つのループの周囲の内側に内側領域を形成し、前記少なくとも1つのループの周囲の外側に外側領域を形成し、前記第1のコイルが、ワイヤレス電力デバイスを充電するかまたはワイヤレス電力デバイスに電力を供給するための第1の交番磁界を生成するように構成され、前記第1の交番磁界が、第1の位相を有する第1の磁界成分を前記内側領域内に有し、前記第1の交番磁界がさらに、第2の位相を有する第2の磁界成分を前記外側領域内に有し、前記第2の位相が前記第1の位相とは異なる、第1のコイルと、
前記第1のコイルの前記周囲の少なくとも一部を囲む、第2のコイルであって、前記第1のコイルの前記周囲において前記第2の磁界成分を小さくするように構成された、第2のコイルとを備える、装置。
【請求項２】
前記第1のコイルは、第1のx-y平面を画定し、前記第2のコイルは、第2のx-y平面において前記第1のx-y平面からずれる単ループのワイヤを備える、請求項1に記載の装置。
【請求項３】
前記第2のコイルは、前記第2の磁界成分を小さくするために前記第2の磁界成分に対向する第2の交番磁界を生成するように構成される、請求項1に記載の装置。
【請求項４】
前記第2の交番磁界は、前記第2のコイル内を流れる電流に応答して生成され、前記電流は、前記第2のコイル内で誘起された電圧に応答して流れ、前記電圧は、前記第1の交番磁界に基づいて誘起される、請求項3に記載の装置。
【請求項５】
前記第1のコイルを備え、共振周波数において共振するように構成された第1の共振回路と、
前記第2のコイルを備え、実質的に前記第1の共振回路の前記共振周波数において共振するように構成された第2の共振回路とをさらに備え、
前記第1の共振回路の前記共振周波数は実質的に6.78MHzである、請求項1に記載の装置。
【請求項６】
前記第2のコイルは、前記第2の磁界成分を小さくするために信号を用いて前記第2のコイルを動作可能に駆動するように構成される駆動回路に電気的に結合される、請求項1に記載の装置。
【請求項７】
前記駆動回路は、前記信号を用いて前記第2のコイルを備える共振回路の共振周波数において前記第2のコイルを動作可能に駆動するようにさらに構成され、前記共振回路は、前記共振周波数において共振するように構成される、請求項6に記載の装置。
【請求項８】
前記ワイヤレス電力デバイスの受電コイルにおける電圧を示す情報を判定するように構成された、コントローラをさらに備え、前記駆動回路は、前記判定された情報に基づいて前記第2のコイルを動作可能に駆動するための前記信号を生成するように構成される、請求項6に記載の装置。
【請求項９】
前記外側領域内に位置し、前記第2の磁界成分を小さくするように構成され、前記第2のコイルを備える複数のコイルをさらに備える、請求項1に記載の装置。
【請求項１０】
コントローラであって、
前記ワイヤレス電力デバイスと前記複数のコイルの少なくとも一部の結合に基づいて前記ワイヤレス電力デバイスの位置を判定し、
前記第2の磁界成分を小さくするように、前記判定された位置に部分的に基づいて、前記複数のコイルのうちの1つまたは複数を選択的にアクティブ化するように構成された、コントローラをさらに備える、請求項9に記載の装置。
【請求項１１】
前記第2の磁界成分は逆位相フィールドを含む、請求項1に記載の装置。
【請求項１２】
ワイヤレス電力を供給するための方法であって、
ワイヤレス電力デバイスを充電するかまたは前記ワイヤレス電力デバイスに電力を供給するための第1の交番磁界を第1のコイルによって生成するステップであって、前記第1のコイルが、少なくとも1つのループを有し、前記少なくとも1つのループが、前記少なくとも1つのループの周囲の内側に内側領域を形成し、前記少なくとも1つのループの前記周囲の外側に外側領域を形成し、前記第1の交番磁界が、第1の位相を有する第1の磁界成分を前記内側領域内に有し、前記第1の交番磁界がさらに、第2の位相を有する第2の磁界成分を前記外側領域内に有し、前記第2の位相が前記第1の位相とは異なる、ステップと、
前記周囲において、第2のコイルによって、前記第2の磁界成分を小さくするステップであって、前記第2のコイルが、一部を前記外側領域内に含む、ステップとを含む、方法。
【請求項１３】
ワイヤレス電力を供給するための装置であって、
少なくとも1つのループを有する、送電コイルであって、前記少なくとも1つのループが、前記少なくとも1つのループの周囲の内側に内側領域を形成し、前記少なくとも1つのループの周囲の外側に外側領域を形成し、前記送電コイルが、ワイヤレス電力デバイスを充電するかまたは前記ワイヤレス電力デバイスに電力を供給するための第1の交番磁界を生成するように構成され、前記第1の交番磁界が、第1の位相を有する第1の磁界成分を前記内側領域内に有し、前記第1の交番磁界がさらに、第2の位相を有する第2の磁界成分を前記外側領域内に有し、前記第2の位相が前記第1の位相とは異なる、送電コイルと、
前記送電コイルの前記周囲の少なくとも一部を囲む、金属部分またはフェライト部分であって、前記送電コイルの前記周囲において前記ワイヤレス電力デバイスを前記第2の磁界成分から遮蔽するように構成された、金属部分またはフェライト部分と備え、前記ワイヤレス電力デバイスを前記第2の磁界成分から遮蔽することは、前記第2の磁界成分を小さくすることを含む、装置。
【請求項１４】
前記金属部分またはフェライト部分は、前記送電コイルの前記周囲を囲む連続するループの1つまたは複数の部分を備え、前記1つまたは複数の部分は、スペースによって分離される、または、前記金属部分または前記フェライト部分は、前記送電コイルの前記周囲を囲む連続するループを形成する、請求項13に記載の装置。
【請求項１５】
ワイヤレス電力を供給するための方法であって、
ワイヤレス電力デバイスを充電するかまたは前記ワイヤレス電力デバイスに電力を供給するための第1の交番磁界を送電コイルによって生成するステップであって、前記送電コイルは、少なくとも1つのループを有し、前記少なくとも1つのループが、前記少なくとも1つのループの周囲の内側に内側領域を形成し、前記少なくとも1つのループの周囲の外側に外側領域を形成し、前記第1の交番磁界が、第1の位相を有する第1の磁界成分を前記内側領域内に有し、前記第1の交番磁界がさらに、第2の位相を有する第2の磁界成分を前記外側領域内に有し、前記第2の位相が前記第1の位相とは異なる、ステップと、
前記送電コイルの前記周囲において、金属部分またはフェライト部分によって、前記ワイヤレス電力デバイスを前記第2の磁界成分から遮蔽するステップであって、前記金属部分またはフェライト部分は、前記送電コイルの前記周囲の少なくとも一部を囲み、前記ワイヤレス電力デバイスを前記第2の磁界成分から遮蔽することは、前記第2の磁界成分を小さくすることを含む、装置。
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
水性液の好気発酵液用の前記水性液への空気供給システムであって、
２：１未満のアスペクト比と、少なくとも１０，０００ガロンの容積を有する容器と、
前記水性液中において少なくとも１０％の溶解酸素濃度を維持する送風器システムであって、５ミクロン未満の孔径と５０％超の多孔性を有し、かつ前記容器の内部と流体連通している、少なくとも１つのスパージ管を備える、送風器システムと、
１５ｐｓｉｇ未満の圧力で前記少なくとも１つのスパージ管に空気を送達するように構成される、少なくとも１つの送風器と、および
前記少なくとも１つの送風器と前記少なくとも１つのスパージ管との間を流体連通する熱交換器であって、前記少なくとも１つのスパージ管に進入する前に前記空気を３７．８℃（１００°F）未満まで冷却する、熱交換器、
を備える、空気供給システム。
【請求項２】
前記少なくとも１つのスパージ管は、焼結された多孔質金属から構成される、請求項１に記載のシステム。
【請求項３】
前記少なくとも１つのスパージ管は、前記容器の下部に配置される、請求項１に記載のシステム。
【請求項４】
前記少なくとも１つのスパージ管が前記容器の側壁に配置される、請求項３に記載のシステム。
【請求項５】
前記少なくとも１つの送風器から前記少なくとも１つのスパージ管へ供給される空気を濾過するように構成された少なくとも１つの濾過器を更に備える、請求項１に記載のシステム。
【請求項６】
前記熱交換器が、前記送風器の出口と流体連通している入口および前記少なくとも１つの濾過器と流体連通している出口を有する、請求項５に記載のシステム。
【請求項７】
前記少なくとも１つの濾過器および前記熱交換器に連結された可撓性導管材を更に備える、請求項６に記載のシステム。
【請求項８】
前記システムが、複数のスパージ管と、および前記容器の周囲に沿って等距離の位置に配置された複数の濾過器、
を含み、
前記複数のスパージ管の各々が、前記複数の濾過器のうちの１つと組になるように構成される、
請求項５に記載のシステム。
【請求項９】
前記複数のスパージ管および前記複数の濾過器が、外部位置で前記容器と接続する、請求項８に記載のシステム。
【請求項１０】
前記容器の内部と流体連通し、スパージ気泡を凝縮するように構成された少なくとも１つの凝縮器を更に備える、請求項１に記載のシステム。
【請求項１１】
前記少なくとも１つの凝縮器は、前記容器の頂部に位置する、請求項１０に記載のシステム。
【請求項１２】
前記少なくとも１つの凝縮器と流体連通する出口濾過アセンブリをさらに備える、請求項１１に記載のシステム。
【請求項１３】
前記容器の内部に配置された混合システムを更に備える、請求項１に記載のシステム。
【請求項１４】
前記混合システムが、前記水性液中において、下降力を生じさせるように構成された頂部インペラと、上昇力を生じさせるように構成された底部インペラを備える、
請求項１３に記載のシステム。
【請求項１５】
前記少なくとも１つのスパージ管から、前記水性液の上部表面までの距離が１２．１９２ｍ（４０フィート）未満である、請求項１に記載のシステム。
【請求項１６】
前記発酵プロセスへ空気を供給するシステムであって、
２：１未満のアスペクト比を有し、かつ少なくとも１０，０００ガロンの容積を有する容器中に投入される発酵ブロスと、
前記発酵ブロス中で少なくとも１０％の溶解酸素濃度を維持する送風器システムであって、前記送風器システムが、前記発酵ブロスと流体連通するスパージ管を備え、かつ５ミクロン未満の孔径と、５０％未満の多孔性を有する、送風器システムと、
前記発酵ブロスと流体連通する少なくとも１つの送風器であって、前記少なくとも１つの送風器が、前記発酵ブロスの好気性発酵用の前記スパージ管を介して前記容器中に１５ｐｓｉｇ未満の圧力を送達するように構成される、送風器と、および
前記少なくとも１つの送風器と前記スパージ管との間を流体連通する熱交換器であって、前記熱交換器が、前記スパージ管に入る前の前記空気を３７．８℃（１００°F）未満まで冷却する、熱交換器、
を備える、システム。
【請求項１７】
前記少なくとも１つの送風器が、ロータに備えられた駆動モータを備える、請求項１６に記載のシステム。
【請求項１８】
前記孔径が１ミクロン未満である、請求項１６に記載のシステム。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
ステビオール配糖体（複数可）の生成方法であって、前記方法は、
（ａ）培地中で１種以上のステビオール配糖体（複数可）を生成可能な組換え酵母菌を増殖させるステップであって、前記組換え酵母菌は、第１の範囲内の１つ以上の増殖速度（複数可）（希釈速度（複数可））にて増殖し、グルコース含有組成物が、第１の方法に従い前記培地に添加されることを含む、前記増殖させるステップと、
（ｂ）前記培地を前記組換え酵母菌により発酵させ、前記１種以上のステビオール配糖体を生成するステップであって、発酵の間に、前記第１の方法とは異なる第２の方法に従って、前記培地にグルコース含有組成物を添加し、また、発酵の間に、第２の範囲内の１つ以上の増殖速度（複数可）（希釈速度（複数可））で前記酵母菌が増殖し、前記第２の範囲は前記第１の範囲よりも小さい、前記生成するステップと、
を含む、前記方法。
【請求項２】
ステップ（ａ）において、前記増殖速度（希釈速度）は０．０６ｈ−１以上である、請求項１に記載の方法。
【請求項３】
ステップ（ａ）において、前記第１の範囲は０．０６ｈ−１〜０．１７ｈ−１である、請求項２に記載の方法。
【請求項４】
ステップ（ｂ）において、前記増殖速度（希釈速度）は０．０９ｈ−１以下である、請求項１に記載の方法。
【請求項５】
ステップ（ｂ）において、前記第２の範囲は０．０１５ｈ−１〜０．０９ｈ−１である、請求項１に記載の方法。
【請求項６】
ステップ（ｂ）の前記増殖速度（希釈速度）は、ステップ（ａ）の最大増殖速度（希釈速度）の５０〜９０％である、請求項１に記載の方法。
【請求項７】
ステップ（ａ）において、前記グルコース含有組成物は、非一定の供給速度である前記第１の方法に従って、前記培地に添加される、請求項１に記載の方法。
【請求項８】
ステップ（ｂ）において、前記グルコース含有組成物は、一定の供給速度である前記第２の方法に従って前記培地に添加される、請求項１に記載の方法。
【請求項９】
前記一定の供給速度は、２ｇグルコース／Ｌ培地／ｈ〜１０ｇグルコース／Ｌ培地／ｈの範囲内である、請求項８に記載の方法。
【請求項１０】
ステップ（ｂ）において、塩基を添加して、前記培地を、ステップ（ａ）の前記培地のｐＨよりも高いｐＨとする、請求項１に記載の方法。
【請求項１１】
ステップ（ｂ）において、前記培地のｐＨが６．０以上である、請求項１０に記載の方法。
【請求項１２】
ステップ（ａ）は、前記培地中に３ｇ／Ｌ未満のグルコースが存在する時点で開始する、請求項１に記載の方法。
【請求項１３】
ステップ（ａ）は、ステップ（ａ）の開始から最大４０時間実施される、請求項１２に記載の方法。
【請求項１４】
ステップ（ｂ）は、ステップ（ａ）の開始から３０時間またはその後の時点で実施される、請求項１２に記載の方法。
【請求項１５】
ステップ（ａ）において、前記組換え酵母菌は、少なくとも５ｇ  ｄｃｗ／Ｌのバイオマス量まで増殖する、請求項１に記載の方法。
【請求項１６】
ステップ（ａ）において、前記組換え酵母菌は、２０ｇ  ｄｃｗ／Ｌ〜６０ｇ  ｄｃｗ／Ｌの範囲のバイオマス量まで増殖する、請求項１に記載の方法。
【請求項１７】
ステップ（ｂ）において、前記組換え酵母菌は、１８０ｇ  ｄｃｗ／Ｌを超えるバイオマス量まで増殖しない、請求項１に記載の方法。
【請求項１８】
前記１種以上のステビオール配糖体（複数可）は、レバウディオサイドＭ、レバウディオサイドＤ、またはレバウディオサイドＭ及びレバウディオサイドＤの両方を含む、請求項１に記載の方法。
【請求項１９】
前記組換え酵母菌は、Ｃａｎｄｉｄａ、Ｋｌｏｅｃｋｅｒａ  （Ｈａｎｓｅｎｉａｓｐｏｒａ）、Ｋｌｕｙｖｅｒｏｍｙｃｅｓ、Ｌｉｐｏｍｙｃｅｓ、Ｐｉｃｈｉａ  （Ｈａｎｓｅｎｕｌａ）、Ｒｈｏｄｏｔｏｒｕｌａ、Ｓａｃｃｈａｒｏｍｙｃｅｔｅ、Ｓａｃｃｈａｒｏｍｙｃｅｓ、Ｓｃｈｉｚｏｓａｃｃｈａｒｏｍｙｃｅｓ、Ｔｏｒｕｌｏｐｓｉｓ、Ｔｏｒｕｌａｓｐｏｒａ、Ｙａｒｒｏｗｉａ、及びＺｙｇｏｓａｃｃｈａｒｏｍｙｃｅｓの種からなる群から選択される、請求項１に記載の方法。
【請求項２０】
前記組換え酵母菌はＳａｃｃｈａｒｏｍｙｃｅｓ  ｃｅｒｅｖｉｓｉａｅである、請求項１に記載の方法。
【請求項２１】
請求項１に記載の方法に従って入手したステビオール配糖体を含む発酵培地。
【請求項２２】
ステップ（ａ）の間、グルコースの濃度は前記培地中で５ｇ／Ｌ以下である、請求項１に記載の方法。
【請求項２３】
ステップ（ｂ）の間、グルコースの濃度が前記培地中で５ｇ／Ｌ以下である、請求項１に記載の方法。
【請求項２４】
請求項１に記載のステップ（ｂ）において、
（ｉ）前記組換え酵母菌の呼吸商（ＲＱ）を測定して、前記ＲＱが約０．５〜約２．０の範囲内であるか否かを測定するステップと、
（ｉｉ）前記ＲＱが前記ＲＱ範囲の外にある場合に、前記第２の方法のグルコース添加速度を調整するステップと、
（ｉｉｉ）前記組換え酵母菌細胞を用いる、前記培地の発酵工程を通して、ステップ（ｉ）及び（ｉｉ）を繰り返すステップと、
を更に含む、請求項１に記載の方法。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
Ｔ細胞依存性二重特異性抗体（ＴＤＢ）を含む組成物中の抗ＣＤ３ホモ二量体を検出するための方法であって、前記二重特異性抗体が、標的抗原結合断片とＣＤ３結合断片とを含み、前記方法が、
Ｔ細胞の集団であって、前記Ｔ細胞が、Ｔ細胞活性化に応答する応答エレメントに作動可能に連結されたレポーターをコードする核酸を含み、前記Ｔ細胞の集団が、標的抗原を含まない、前記Ｔ細胞の集団を前記組成物と接触させることを含み、
前記レポーターの発現が、抗ＣＤ３ホモ二量体の存在を示す、前記方法。
【請求項２】
ＴＤＢを含む組成物中の抗ＣＤ３ホモ二量体抗体の量を定量化するための方法であって、前記ＴＤＢが、標的抗原結合断片とＣＤ３結合断片とを含み、前記方法が、
Ｔ細胞の集団であって、前記Ｔ細胞が、Ｔ細胞活性化に応答するプロモーターに作動可能に連結されたレポーターをコードする核酸を含み、前記Ｔ細胞の集団が、前記標的抗原を含まない、前記Ｔ細胞の集団を前記ＴＤＢの１つ以上の濃度で前記組成物と接触させること、
前記Ｔ細胞を、異なる濃度の精製された抗ＣＤ３ホモ二量体と接触させることにより生成される標準曲線に、抗体濃度の関数としての前記レポーターの発現を相関させることを含む、前記方法。
【請求項３】
前記標準曲線が、前記Ｔ細胞を、約０．０１ｎｇ／ｍＬ〜約５０ｎｇ／ｍＬの範囲である異なる濃度の精製された抗ＣＤ３抗体と接触させることにより生成される、請求項２に記載の方法。
【請求項４】
前記レポーターが、ルシフェラーゼ、蛍光タンパク質、アルカリホスファターゼ、ベータラクタマーゼ、またはベータガラクトシダーゼである、請求項１〜３のいずれか１項に記載の方法。
【請求項５】
前記ルシフェラーゼが、ホタルルシフェラーゼ、ウミシイタケルシフェラーゼ（Ｒｅｎｉｌｌａ  ｌｕｃｉｆｅｒａｓｅ）、またはナノルシフェラーゼである、請求項４に記載の方法。
【請求項６】
Ｔ細胞活性化に応答する応答エレメントが、ＮＦＡＴプロモーター、ＡＰ−１プロモーター、ＮＦκＢプロモーター、ＦＯＸＯプロモーター、ＳＴＡＴ３プロモーター、ＳＴＡＴ５プロモーター、またはＩＲＦプロモーターである、請求項１〜５のいずれか一項に記載の方法。
【請求項７】
Ｔ細胞活性化に応答する前記応答エレメントが、ＮＦＡＴ、ＡＰ−１、ＮＦκＢ、ＦＯＸＯ、ＳＴＡＴ３、ＳＴＡＴ５、及びＩＲＦのいずれか１つ以上からのＴ細胞活性化応答性エレメントを含む、請求項６に記載の方法。
【請求項８】
（ｉ）前記Ｔ細胞の集団が、ＣＤ４＋Ｔ細胞またはＣＤ８＋Ｔ細胞の集団である、または（ｉｉ）前記Ｔ細胞の集団が、Ｊｕｒｋａｔ  Ｔ細胞またはＣＴＬＬ−２  Ｔ細胞の集団である、請求項１〜７のいずれか一項に記載の方法。
【請求項９】
Ｔ細胞の集団が、０．０１ｎｇ／ｍＬ〜５０ｎｇ／ｍＬの範囲である濃度で前記二重特異性抗体を含む組成物と接触させられる、請求項１〜８のいずれか一項に記載の方法。
【請求項１０】
前記レポーターが、前記細胞を前記組成物と接触させた後、１、２、３、４、５、６、７、８、１２、１６、２０、または２４時間後のいずれか１つ以上に検出される、請求項１〜９のいずれか一項に記載の方法。
【請求項１１】
二重特異性抗体を含む組成物中の抗ＣＤ３ホモ二量体の検出のための操作されたＴ細胞であって、前記二重特異性抗体が、標的抗原結合断片とＣＤ３結合断片とを含み、前記Ｔ細胞が、Ｔ細胞活性化に応答する応答エレメントに作動可能に連結されたレポーターを含む、前記操作されたＴ細胞。
【請求項１２】
前記レポーターが、ルシフェラーゼ、蛍光タンパク質、アルカリホスファターゼ、ベータラクタマーゼ、またはベータガラクトシダーゼである、請求項１１に記載の操作されたＴ細胞。
【請求項１３】
前記ルシフェラーゼが、ホタルルシフェラーゼ、ウミシイタケルシフェラーゼ、またはナノルシフェラーゼである、請求項１２に記載の操作されたＴ細胞。
【請求項１４】
Ｔ細胞活性化に応答する前記応答エレメントが、ＮＦＡＴプロモーター、ＡＰ−１プロモーター、ＮＦκＢプロモーター、ＦＯＸＯプロモーター、ＳＴＡＴ３プロモーター、ＳＴＡＴ５プロモーター、またはＩＲＦプロモーターである、請求項１１〜１３のいずれか一項に記載の操作されたＴ細胞。
【請求項１５】
Ｔ細胞活性化に応答する前記応答エレメントが、ＮＦＡＴ、ＡＰ−１、ＮＦκＢ、ＦＯＸＯ、ＳＴＡＴ３、ＳＴＡＴ５、及びＩＲＦのいずれか１つ以上からのＴ細胞活性化応答性エレメントを含む、請求項１４に記載の操作されたＴ細胞。
【請求項１６】
（ｉ）前記Ｔ細胞の集団が、ＣＤ４＋Ｔ細胞またはＣＤ８＋Ｔ細胞の集団である、または（ｉｉ）前記Ｔ細胞の集団が、Ｊｕｒｋａｔ  Ｔ細胞またはＣＴＬＬ−２  Ｔ細胞の集団である、請求項１１〜１５のいずれか一項に記載の操作されたＴ細胞。
【請求項１７】
二重特異性抗体を含む組成物中の抗ＣＤ３ホモ二量体の検出のためのキットであって、前記二重特異性抗体が、標的抗原結合断片とＣＤ３結合断片とを含み、前記キットが、請求項１１〜１６のいずれか一項に記載の操作されたＴ細胞を含む、前記キット。
【請求項１８】
抗ＣＤ３ホモ二量体アッセイ標準物及び／または抗ＣＤ３ホモ二量体対照をさらに含む、請求項１７に記載のキット。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
相補性決定領域ＣＤＲＨ１、ＣＤＲＨ２およびＣＤＲＨ３を含む重鎖可変領域と、相補性決定領域ＣＤＲＬ１、ＣＤＲＬ２およびＣＤＲＬ３を含む軽鎖可変領域とを含む、ヒトＣＴＬＡ−４タンパク質に特異的に結合する単離された抗体であって、
（ａ）ＣＤＲＨ１が、ＳＹＸ１ＭＸ２（配列番号２２）（式中、Ｘ１はＳまたはＡであり；Ｘ２はＮまたはＳである）のアミノ酸配列を含む；
（ｂ）ＣＤＲＨ２が、ＳＩＳＳＳＳＳＹＩＹＹＡＤＳＶＫＧ（配列番号２）のアミノ酸配列を含む；
（ｃ）ＣＤＲＨ３が、ＶＧＬＭＧＰＦＸＩ（配列番号２３）（式中、ＸはＤまたはＮである）のアミノ酸配列を含む；
（ｄ）ＣＤＲＬ１が、ＲＡＳＱＳＶＸ１Ｘ２ＹＬＸ３（配列番号２４）（式中、Ｘ１はＳまたはＧであり；Ｘ２はＲ、Ｓ、またはＴであり；Ｘ３はＧまたはＡである）のアミノ酸配列を含む；
（ｅ）ＣＤＲＬ２が、Ｘ１Ｘ２ＳＸ３ＲＡＴ（配列番号２５）（式中、Ｘ１はＧまたはＡであり；Ｘ２はＡまたはＴであり；Ｘ３はＴ、Ｓ、Ｒ、またはＮである）のアミノ酸配列を含む；ならびに
（ｆ）ＣＤＲＬ３が、ＱＱＹＧＸ１ＳＰＸ２Ｔ（配列番号２６）（式中、Ｘ１はＳまたはＴであり、Ｘ２はＷまたはＦである）のアミノ酸配列を含む、
前記抗体。
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
1つ又はそれ以上の生存可能プロバイオティクス微生物、1つ又はそれ以上の加水分解タンパク質、1つ又はそれ以上の二糖類、1つ又はそれ以上のオリゴ糖及び1つ又はそれ以上の多糖類を含む乾燥組成物であって、ここで該組成物は、トレハロースを含まず、ここで該組成物は、少なくとも1x1010CFU/gの生存率を有し、40℃及び33%の相対湿度で3月後に1 log unit/g未満の生存率の損失を有する、乾燥組成物。
【請求項２】
該組成物が、特定栄養製品において宿主にプロバイオティクスの利益を与える、請求項1に記載の組成物。
【請求項３】
該特定栄養製品が、調製粉乳、フォローオン粉乳(follow-on formula)、加工穀類食品、乳児食品缶詰及び医療目的の特定食品からなる群から選択される、請求項2に記載の組成物。
【請求項４】
該特定栄養製品が、調製粉乳である、請求項2に記載の組成物。
【請求項５】
該生存可能プロバイオティクス微生物が、生存プロバイオティクス細菌、真菌類及び酵母からなる群から選択される、請求項1に記載の組成物。
【請求項６】
該組成物が、該組成物の全乾燥重量に基づき、少なくとも50%の1つ又はそれ以上の加水分解タンパク質を含む、請求項1に記載の組成物。
【請求項７】
該1つ又はそれ以上の加水分解タンパク質が、ミルクタンパク質、植物タンパク質又はそれらの組み合わせからなる群から選択される、請求項1に記載の組成物。
【請求項８】
該1つ又はそれ以上の加水分解タンパク質が、加水分解カゼイン、加水分解ホエイタンパク質、加水分解エンドウタンパク質、加水分解ダイズタンパク質及びそれらの組み合わせからなる群から選択される、請求項1に記載の組成物。
【請求項９】
該組成物が、該組成物の乾燥重量に基づき、20%未満の1つ又はそれ以上の二糖類を含む、請求項1に記載の組成物。
【請求項１０】
該1つ又はそれ以上の二糖類が、スクロース、ラクトース及びそれらの組み合わせからなる群から選択される、請求項1に記載の組成物。
【請求項１１】
該組成物が、該組成物の乾燥重量に基づき、5〜30%の1つ又はそれ以上のオリゴ糖を含む、請求項1に記載の組成物。
【請求項１２】
該1つ又はそれ以上のオリゴ糖が、イヌリン、マルトデキストリン、デキストラン、フラクトオリゴ糖(FOS)、ガラクトオリゴ糖(GOS)、マンナンオリゴ糖(MOS)及びそれらの組み合わせからなる群から選択される、請求項1に記載の組成物。
【請求項１３】
該組成物が、該組成物の乾燥重量に基づき、1〜10%の1つ又はそれ以上の多糖類を含む、請求項1に記載の組成物。
【請求項１４】
該1つ又はそれ以上の多糖類が、カラギーナン、グァーガム、アカシアゴム、ローカストビーンガム、でん粉、加工でん粉及びそれらの組み合わせからなる群から選択される、請求項1に記載の組成物。
【請求項１５】
1つ又はそれ以上の追加薬をさらに含む、請求項1に記載の組成物。
【請求項１６】
該組成物が、該組成物の乾燥重量に基づき、0.5〜10%の該1つ又はそれ以上の追加薬を含む、請求項15に記載の組成物。
【請求項１７】
該1つ又はそれ以上の追加薬が、カルボン酸塩、トコフェロール類及びそれらの組み合わせからなる群から選択される、請求項15に記載の組成物。
【請求項１８】
該カルボン酸塩が、アスコルビン酸塩及びクエン酸塩からなる群から選択される、請求項17に記載の組成物。
【請求項１９】
該1つ又はそれ以上の追加薬が、重量比1:4〜4:1で、1つ又はそれ以上のトコフェロール類及び1つ又はそれ以上のカルボン酸塩を含む、請求項15に記載の組成物。
【請求項２０】
該1つ又はそれ以上の追加薬が、重量比4:1で、ビタミンE及びアスコルビン酸ナトリウムを含む、請求項15に記載の組成物。
【請求項２１】
1つ又はそれ以上の乾燥工程が、空気乾燥、真空乾燥、流動層乾燥及び噴霧乾燥からなる群から選択される、請求項1の組成物を調製する方法。
【請求項２２】
請求項1の組成物を調製する方法であって、以下:
(a)アルカリ性水性溶媒中で、該1つ又はそれ以上の生存可能プロバイオティクス微生物、該1つ又はそれ以上の加水分解タンパク質、該1つ又はそれ以上の二糖類、該1つ又はそれ以上のオリゴ糖、及び該1つ又はそれ以上の多糖類を混合し、スラリーを形成する段階;
(b)ビーズ、小滴又は紐の形態で液体窒素中において瞬間凍結し、固体凍結粒子を形成する段階;
(c)該粒子の温度をそれらの凍結温度より上に維持しながら、真空下での蒸発による固体凍結粒子の一次乾燥段階であり、それにより一次乾燥製剤が形成される段階;
(d) 一次乾燥製剤の水分活性を0.3Aw又はそれ以下に低下させるために十分な時間、最大限の真空及び20℃又はそれ以上の熱源温度での一次乾燥製剤の二次乾燥段階であり、それにより該請求項1の組成物が調製される段階、
を含む方法。
【請求項２３】
該1つ又はそれ以上の加水分解タンパク質、該1つ又はそれ以上の二糖類、該1つ又はそれ以上のオリゴ糖及び該1つ又はそれ以上の多糖類を滅菌する段階を、段階(a)の前にさらに含む、請求項22に記載の方法。
【請求項２４】
該組成物を、切断、粉砕、摩砕及び微粉砕することで流動性粉末にすることをさらに含む、請求項22に記載の方法。
【請求項２５】
該粉末の粒子サイズが、約1000μm未満である、請求項24に記載の方法。
【請求項２６】
該組成物が、特定栄養製品において宿主にプロバイオティクスの利益を与えるための該1つ又はそれ以上の生存可能プロバイオティクス微生物の有効量である、請求項22に記載の方法。
【請求項２７】
該組成物を用いて該特定栄養製品を製造することをさらに含む、請求項26に記載の方法。
【請求項２８】
該特定栄養製品が、調製粉乳、フォローオン粉乳(follow-on formula)、加工穀類食品、乳児食品缶詰及び医療目的の特定食品からなる群から選択される、請求項26に記載の方法。
【請求項２９】
該特定栄養製品が、調製粉乳である、請求項26に記載の方法。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
プロピオネートをスクシネートに変換する、１つまたは複数のプロピオネート異化酵素をコードする遺伝子配列（複数可）を含む細菌であって、前記１つまたは複数のプロピオネート異化酵素は、プロピオネート異化酵素遺伝子と天然では会合していない直接的または間接的誘導性プロモーターに作動可能に連結している、細菌。
【請求項２】
ＰｒｐＥ、ＰｃｃＢ、ＡｃｃＡ１、ＭｍｃＥ、ＭｕｔＡおよびＭｕｔＢから選択される１つまたは複数のプロピオネート異化酵素をコードする遺伝子配列（複数可）を含む、請求項１に記載の細菌。
【請求項３】
ＰｒｐＥ、ＰｃｃＢ、ＡｃｃＡ１、ＭｍｃＥ、ＭｕｔＡおよびＭｕｔＢをコードする遺伝子配列（複数可）を含む、請求項１または２に記載の細菌。
【請求項４】
プロピオネート異化酵素をコードする前記遺伝子配列（複数可）に作動可能に連結した前記プロモーターが、低酸素または嫌気的条件下で直接的または間接的に誘導される、請求項１〜３のいずれか一項に記載の細菌。
【請求項５】
プロピオネート異化酵素をコードする前記遺伝子配列（複数可）に作動可能に連結した前記プロモーターが、ＦＮＲ応答性プロモーター、ＡＮＲ応答性プロモーターおよびＤＮＲ応答性プロモーターからなる群から選択される、請求項１〜４のいずれか一項に記載の細菌。
【請求項６】
プロピオネート異化酵素をコードする前記遺伝子配列（複数可）が、
（ａ）該細菌における染色体上に位置する、または
（ｂ）該細菌におけるプラスミド上に位置する、
請求項１〜５のいずれか一項に記載の細菌。
【請求項７】
１つまたは複数のプロピオネート異化酵素をコードする前記遺伝子配列（複数可）が、単一の遺伝子カセット内に存在する、請求項１〜６のいずれか一項に記載の細菌。
【請求項８】
１つまたは複数のプロピオネート異化酵素をコードする少なくとも２つの遺伝子配列を含み、１つまたは複数のプロピオネート異化酵素をコードする前記遺伝子配列（複数可）が、第１のプロモーターに作動可能に連結した第１のカセット内に存在し、第２のプロモーターに作動可能に連結した第２の遺伝子カセット内に存在する、請求項１〜６のいずれか一項に記載の細菌。
【請求項９】
前記第１のプロモーターおよび前記第２のプロモーターが、誘導性プロモーターである、請求項８に記載の細菌。
【請求項１０】
（ａ）前記第１のプロモーターおよび前記第２のプロモーターが、異なるプロモーターである、または
（ｂ）前記第１のプロモーターおよび前記第２のプロモーターが、同じプロモーターの別個のコピーである、
請求項８または請求項９に記載の細菌。
【請求項１１】
前記第１の遺伝子カセットが、ＰｒｐＥ、ＰｃｃＢおよびＡｃｃＡ１をコードする遺伝子配列を含み、前記第２の遺伝子カセットが、ＭｍｃＥ、ＭｕｔＡおよびＭｕｔＢをコードする前記遺伝子配列を含む、請求項８〜１０のいずれか一項に記載の細菌。
【請求項１２】
（ａ）ＰｒｐＥをコードする前記遺伝子配列（複数可）が、配列番号２５と少なくとも９０％の同一性を有する、
（ｂ）ＰｃｃＢをコードする前記遺伝子配列（複数可）が、配列番号３９と少なくとも９０％の同一性を有する、および／または
（ｃ）ＡｃｃＡ１をコードする前記遺伝子配列（複数可）が、配列番号３８と少なくとも９０％の同一性を有する、および／または
（ｄ）ＭｍｃＥをコードする前記遺伝子配列（複数可）が、配列番号３２と少なくとも９０％の同一性を有する、および／または
（ｅ）ＭｕｔＡをコードする前記遺伝子配列（複数可）が、配列番号３３と少なくとも９０％の同一性を有する、および／または
（ｆ）ＭｕｔＢをコードする前記遺伝子配列（複数可）が、配列番号３４と少なくとも９０％の同一性を有する、および／または
請求項２、３、および１１のいずれか１つに記載の細菌。
【請求項１３】
プロピオネートをポリヒドロキシアルカノエートに変換する１つまたは複数のプロピオネート異化酵素をコードする１つまたは複数の遺伝子配列をさらに含む、請求項１〜１２のいずれか一項に記載の細菌。
【請求項１４】
ＰｒｐＥ、ＰｈａＢ、ＰｈａＣおよびＰｈａＡをコードする１つまたは複数の遺伝子配列を含む、請求項１３に記載の細菌。
【請求項１５】
前記操作された細菌細胞が、タンパク質リシンアシルトランスフェラーゼ（ｐｋａ）における欠失をさらに含む、請求項１〜１４のいずれか一項に記載の細菌。
【請求項１６】
（ａ）プロピオネートの１つまたは複数の輸送体をコードする遺伝子配列（複数可）をさらに含み、前記遺伝子配列が、輸送体遺伝子と天然では会合していないプロモーターに作動可能に連結している、および／または
（ｂ）スクシネートの１つまたは複数の輸出体をコードする遺伝子配列（複数可）をさらに含み、前記遺伝子配列が、輸送体遺伝子と天然では会合していないプロモーターに作動可能に連結している、および／または
（ｃ）細菌内の１つまたは複数のスクシネートの輸送体における突然変異または欠失をさらに含む、および／または
（ｄ）  前記細菌におけるプロピオネートの内因性生合成経路の遺伝子改変または欠失をさらに含む、請求項１〜１５のいずれか一項に記載の細菌。
【請求項１７】
プロバイオティック細菌細胞である、請求項１〜１６のいずれか一項に記載の細菌。
【請求項１８】
バクテロイデス属、バフィドバクテリウム属、クロストリジウム属、大腸菌属、乳酸桿菌属および乳酸球菌属からなる群から選択される属のメンバーである、請求項１〜１７のいずれか一項に記載の細菌。
【請求項１９】
前記操作された細菌細胞が、大腸菌種ニッスル株のものである、請求項１〜１８のいずれか一項に記載の細菌。
【請求項２０】
（ａ）前記操作された細菌細胞が哺乳動物消化管内に存在する場合、前記操作された細菌細胞が、補足される遺伝子における栄養要求体である、
（ｂ）前記操作された細菌細胞がヒト消化管内に存在する場合、前記操作された細菌細胞が、補足される遺伝子における栄養要求体である、
（ｃ）前記操作された細菌細胞が、ジアミノピメリン酸における栄養要求体、またはチミン生合成経路における酵素における栄養要求体である、または
（ｄ）前記細菌に対して有毒である物質をコードする遺伝子を有するようにさらに操作され、前記遺伝子が、前記哺乳動物消化管に天然で存在しない環境条件により直接的または間接的に誘導されるプロモーターの制御下にある、
請求項１〜１９のいずれか一項に記載の細菌。
【請求項２１】
請求項１〜２０のいずれか一項に記載の細菌と薬学的に許容される担体とを含む医薬組成物。
【請求項２２】
対象におけるプロピオネート、メチルマロネートおよびそれらの副産物分子のレベルを低下させるための、および／または対象におけるプロピオネートの異化を伴う疾患もしくは障害を治療するための方法であって、請求項２１に記載の医薬組成物を投与するステップを含む方法。
【請求項２３】
プロピオネートの異化を伴う前記障害が、有機酸血症、またはビタミンＢ１２欠乏症である、請求項２２に記載の方法。
【請求項２４】
前記有機酸血症が、プロピオン酸血症（ＰＡ）、またはメチルマロン酸血症（ＭＭＡ）である、請求項２３に記載の方法。
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
反射鏡アンテナ用のフェーズドアレイ線状給電器であって、
複数のほぼ平行な金属ディスクと、
複数のほぼ平行な金属ロッドであって、前記複数の金属ロッドの各々が、前記線状給電器の基部から、前記金属ディスクに対してほぼ垂直に前記金属ディスクを貫いて、前記線状給電器の頂点まで延びる、前記複数の金属ロッドと、
前記線状給電器の前記基部のところで前記金属ロッドに電気的に接続された位相／電力スイッチングマトリックスとを備え、
前記複数の金属ディスクは、前記フェーズドアレイ線状給電器を、一連の独立した垂直アンテナのサブアレイに分割する、
線状給電器。
【請求項２】
前記位相／電力スイッチングマトリックスが、前記金属ロッド間の位相差を調整することによって、前記反射鏡アンテナのビームをステアリングする、請求項１に記載の線状給電器。
【請求項３】
前記位相／電力スイッチングマトリックスが、前記金属ロッド間の電力差を調整することによって、前記反射鏡アンテナのビームをステアリングする、請求項１に記載の線状給電器。
【請求項４】
前記金属ディスクが、前記反射鏡アンテナの対象波長の約１／２の間隔で隔置されている、請求項１に記載の線状給電器。
【請求項５】
前記金属ディスク間の間隔が、前記線状給電器の前記基部から、前記線状給電器の前記頂点まで減少する、請求項１に記載の線状給電器。
【請求項６】
前記金属ディスクの直径が、前記線状給電器の前記基部における最大値から、前記線状給電器の前記頂点における最小値まで減少する、請求項１に記載の線状給電器。
【請求項７】
前記金属ロッドが、前記線状給電器の前記基部において、前記反射鏡アンテナの対象波長の約１／３．５の間隔で隔置されている、請求項１に記載の線状給電器。
【請求項８】
前記金属ロッド間の間隔が、前記線状給電器の前記基部から、前記線状給電器の前記頂点まで減少する、請求項１に記載の線状給電器。
【請求項９】
前記反射鏡アンテナが球面反射鏡アンテナである、請求項１に記載の線状給電器。
【請求項１０】
前記線状給電器が、前記反射鏡アンテナの直径の約１２パーセントの長さを有する、請求項９に記載の線状給電器。
【請求項１１】
前記反射鏡アンテナがバルーン反射鏡アンテナである、請求項１に記載の線状給電器。
【請求項１２】
一対象波長を有する反射鏡アンテナ用のフェーズドアレイ線状給電器を作成する方法であって、
複数のほぼ平行な金属ディスクを設けること、
複数のほぼ平行な金属ロッドであって、前記複数の金属ロッドの各々が、前記線状給電器の基部から、前記金属ディスクに対してほぼ垂直に前記金属ディスクを貫いて、前記線状給電器の頂点まで延びる、前記複数の金属ロッドを設けること、及び
前記線状給電器の前記基部のところで前記金属ロッドに電気的に接続された位相／電力スイッチングマトリックスを設けること、を含み、
前記複数の金属ディスクは、前記フェーズドアレイ線状給電器を、一連の独立した垂直アンテナのサブアレイに分割する、
方法。
【請求項１３】
前記位相／電力スイッチングマトリックスが、前記金属ロッド間の位相差を調整することによって、前記反射鏡アンテナのビームをステアリングする、請求項１２に記載の方法。
【請求項１４】
前記位相／電力スイッチングマトリックスが、前記金属ロッド間の電力差を調整することによって、前記反射鏡アンテナのビームをステアリングする、請求項１２に記載の方法。
【請求項１５】
前記金属ディスクが、前記対象波長の約１／２の間隔で隔置されている、請求項１２に記載の方法。
【請求項１６】
前記金属ディスク間の間隔が、前記線状給電器の前記基部から、前記線状給電器の前記頂点まで減少する、請求項１２に記載の方法。
【請求項１７】
前記金属ディスクの直径が、前記線状給電器の前記基部における最大値から、前記線状給電器の前記頂点における最小値まで減少する、請求項１２に記載の方法。
【請求項１８】
前記金属ロッドが、前記線状給電器の前記基部において、前記対象波長の約１／３．５の間隔で隔置されている、請求項１２に記載の方法。
【請求項１９】
前記金属ロッド間の間隔が、前記線状給電器の前記基部から、前記線状給電器の前記頂点まで減少する、請求項１２に記載の方法。
【請求項２０】
前記反射鏡アンテナが球面反射鏡アンテナである、請求項１２に記載の方法。
【請求項２１】
前記線状給電器が、前記反射鏡アンテナの直径の約１２パーセントの長さを有する、請求項２０に記載の方法。
【請求項２２】
前記反射鏡アンテナがバルーン反射鏡アンテナである、請求項１２に記載の方法。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
双方向データを伝送する通信システムであって、
双方向ファイバストランドと、
前記双方向ファイバストランドの一端の第１の信号投入器と、
前記双方向ファイバストランドの他端の第２の信号投入器と、
を備え、
前記双方向ファイバストランドの前記一端の前記第１の信号投入器により投入されたデータ信号が、第１の波長であり、
前記双方向ファイバストランドの前記他端の前記第２の信号投入器により投入されたデータ信号が、第２の波長であり、
前記第１の波長および第２の波長が異なり、
前記データ信号が、Ｃ帯波長およびＳＦＰ＋プロトコル下において高密度波分割多重（ＤＷＤＭ）波長を採用することにより、
前記第１の端部で投入された前記データ信号および前記第２の端部で投入された前記データ信号が、前記双方向ファイバストランドを同時に通過する、通信システム。
【請求項２】
前記データ信号が、ＩＥＥＥ／ＩＴＵ標準を含む業界標準に準拠する、請求項１に記載の通信システム。
【請求項３】
前記データ信号が、レイヤ２、レイヤ３、レイヤ４、およびこれらの組み合わせを含む組から成る少なくとも１つのレイヤプロトコルを採用する、請求項２に記載の通信システム。
【請求項４】
２つの前記双方向ファイバストランドを結合するとともにそれを通じて伝送する信号を強化する少なくとも１つの増幅器をさらに備える、請求項１に記載の通信システム。
【請求項５】
前記少なくとも１つの増幅器が、エルビウムドープファイバ増幅器である、請求項４に記載の通信システム。
【請求項６】
双方向ファイバストランドであって、
第１の波長の第１のデータ信号を受信するように構成された一端の第１のポートと、
第２の波長の第２のデータ信号を受信するように構成された他端の第２のポートと、
を備え、
前記第１の波長および第２の波長が異なり、
前記データ信号が、Ｃ帯波長およびＳＦＰ＋プロトコル下において高密度波分割多重（ＤＷＤＭ）波長を採用することにより、
前記第１の端部で投入されたデータ信号および前記第２の端部で投入されたデータ信号が、該双方向ファイバストランドを同時に通過する、双方向ファイバストランド。
【請求項７】
広範なデータ伝送レートで動作可能な、請求項６に記載の双方向ファイバストランド。
【請求項８】
前記レートが、１０ギガビット／秒、４０ギガビット／秒、５０ギガビット／秒、１００ギガビット／秒、および２００ギガビット／秒から成る群から選択される、請求項７に記載の双方向ファイバストランド。
【請求項９】
前記データ信号が、ＩＥＥＥ／ＩＴＵ標準を含む業界標準に準拠する、請求項６に記載の双方向ファイバストランド。
【請求項１０】
共通のファイバストランドを通じて双方向信号を伝送させる方法であって、
双方向ファイバストランドの一端において、第１のデータ信号を投入するステップと、
前記双方向ファイバストランドの他端において、前記一端での前記投入と実質的に同時に、第２のデータ信号を投入するステップと、
を備え、
前記第１のデータ信号が、第１の波長であり、
前記第２のデータ信号が、第２の波長であり、
前記第１の波長および第２の波長が異なり、
前記データ信号が、Ｃ帯波長およびＳＦＰ＋プロトコル下において高密度波分割多重（ＤＷＤＭ）波長を採用することにより、
前記第１のデータ信号および第２のデータ信号が、前記双方向ファイバストランドを同時に通過する、方法。
【請求項１１】
前記データ信号が、ＩＥＥＥ／ＩＴＵ標準を含む業界標準に準拠する、請求項１０に記載の共通のファイバストランドを通じて双方向信号を伝送させる方法。
【請求項１２】
前記データ信号が、レイヤ２、レイヤ３、レイヤ４、およびこれらの組み合わせを含む組から成る少なくとも１つのレイヤプロトコルを採用する、請求項１１に記載の共通のファイバストランドを通じて双方向信号を伝送させる方法。
【請求項１３】
２つの前記双方向ファイバストランドを結合するとともにそれを通じて伝送する信号を強化する少なくとも１つの増幅器を増幅するステップをさらに備える、請求項１０に記載の共通のファイバストランドを通じて双方向信号を伝送させる方法。
【請求項１４】
前記少なくとも１つの増幅器が、エルビウムドープファイバ増幅器である、請求項１３に記載の共通のファイバストランドを通じて双方向信号を伝送させる方法。
【請求項１５】
前記双方向ファイバストランドが、広範なデータ伝送レートで動作可能な、請求項１０に記載の共通のファイバストランドを通じて双方向信号を伝送させる方法。
【請求項１６】
前記レートが、１０ギガビット／秒、４０ギガビット／秒、５０ギガビット／秒、１００ギガビット／秒、および２００ギガビット／秒から成る群から選択される、請求項１５に記載の共通のファイバストランドを通じて双方向信号を伝送させる方法。
【請求項１７】
前記双方向ファイバストランドが、広範なデータ伝送レートで動作可能な、請求項１に記載の双方向データを伝送する通信システム。
【請求項１８】
前記レートが、１０ギガビット／秒、４０ギガビット／秒、５０ギガビット／秒、１００ギガビット／秒、および２００ギガビット／秒から成る群から選択される、請求項１７に記載の双方向データを伝送する通信システム。
【請求項１９】
２つの前記双方向ファイバストランドを結合するとともにそれを通じて伝送する信号を強化する少なくとも１つの増幅器をさらに備える、請求項６に記載の双方向ファイバストランド。
【請求項２０】
前記少なくとも１つの増幅器が、エルビウムドープファイバ増幅器である、請求項１９に記載の双方向ファイバストランド。
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
防水性パウチであって、
内面及び外面を有する第１の壁部、
内面及び外面を有する第２の壁部、
前記第１の壁部の前記内面と前記第２の壁部の前記内面との間で前記パウチ内に配置されており、第１主面及び前記第１主面の反対側の第２主面を有する多孔質膜フィルター、
前記第１の壁部の内面によって部分的に画定されており、前記膜フィルターの前記第１主面によって部分的に画定されている第１のコンパートメント、
前記第１のコンパートメント内に液体を注入するためのアクセスを提供する、密封可能な試料ポート、
前記第２の壁部の前記内面によって部分的に画定されていると共に前記膜フィルターの前記第２主面によって部分的に画定されている第２のコンパートメント、を備え、
前記膜フィルターは、前記第１のコンパートメントから前記第２のコンパートメントへの水性液体の移動を可能にし、前記第１のコンパートメントから前記第２のコンパートメントへの、所定のサイズの粒子の移動を防止する、前記防水性パウチと、
前記第１のコンパートメント内で前記パウチに接着された、乾燥した冷水溶解性ゲル化剤と、
前記第２のコンパートメント内に配置された吸収パッドと、を備える、微生物検出デバイス。
【請求項２】
前記パウチに接着された前記ゲル化剤は、第２の領域を画定しており、前記第１のコンパートメントは、約１００ｍＬ〜約１５０ｍＬの所定の体積を収容するように構成されており、前記第２の領域は、コロニー計数領域を画定しており、前記所定の体積対前記コロニー計数領域の比は、１ｍＬ当たり１ｃｍ２未満である、請求項１に記載のデバイス。
【請求項３】
所定の体積の水性試料を、請求項１又は２に記載のデバイスの前記第１のコンパートメント内に入れることと、
前記試料ポートを密封することと、
前記デバイスを、標的微生物の増殖及び検出を促進する温度で、ある時間インキュベートすることと、
前記デバイスにおける前記標的微生物のコロニーの存在又は非存在を検出することと、を含む方法。